(57)【特許請求の範囲】
【請求項１】
内部に便器が設置された簡易トイレハウスであって、
縦長幅材を幅方向に直角に折曲げその両翼片が対向するように四隅に立てた柱体と、
該柱体間の出入口となる正面を除いて左右側面及び奥面の両翼片にそれぞれ取外し可能に固定した複数の折目を有する壁体と、
前記正面の一方の翼片にヒンジ結合され複数の折目を有する主部と該主部の折目を伸ばすように重ねた偏平板を取外し可能に固定してなるドア体と、
前記柱体の正面又は奥面にて対面する翼片の頂縁及び対面する壁体の頂縁にそれぞれ嵌入できる凹溝を有する梁体と、
を備えたことを特徴とする簡易トイレハウス。
【発明の詳細な説明】
【技術分野】
【０００１】  本発明は、地震やその他の災害などの緊急時やキャンプなどの野外活動時に簡単に組立てられ、内部に便器を置くことにより使用できる簡易トイレハウスに関するものである。
【背景技術】
【０００２】  従来、簡単に組立てられる簡易家屋として、特開２００３−８２７６７号公報がある。これは互いに対向して配置される前後周壁板と、互いに対向して配置される左右周壁板と、該左右周壁板に掛け渡される複数本の補強梁とからなる。そして、前後周壁板の端部にはたとえば上から中位まで凹溝（切込み）を設ける一方、左右周壁板の端部にもたとえば下から中位までの凹溝（切込み）を設け、これらの凹溝同士を直交して互い違いに結合することで前後周壁板と左右周壁板を組立て、複数本の補強梁を掛け渡し、前後周壁板に出入口用の開口部を設けることにより簡易家屋として完成できるようになっていた。この簡易家屋は中に便器をおけば、簡易トイレハウスとしても利用できるものと考えられる。
【特許文献１】特開２００３−８２７６７号公報
【発明の開示】
【発明が解決しようとする課題】
【０００３】  しかしながら、前後周壁板と左右周壁板との結合部は、それぞれの端部に直交して上から中位まで、下から中位までの凹溝を設け、これを互い違いに結合させる関係で柱がなく隅角部が弱く、特に、段ボールのような紙またはプラスチックで作った場合には充分な強度が保てないという問題があったばかりでなく、前後周壁板と左右周壁板が、特に折畳み式になっていないので持運び性が得られなかった。【０００４】  本発明は、上記問題を解消するためのもので、その目的とするところは、紙またはプラスチック製の段ボールにて小さく折り畳め、持運び性が高く、堅牢性にすぐれた簡易トイレハウスを提供することにある。【０００５】
上記目的を達成するため、本発明は、内部に便器が設置された簡易トイレハウスであって、縦長幅材を幅方向に直角に折曲げその両翼片が対向するように四隅に立てた柱体と、該柱体間の出入口となる正面を除いて左右側面及び奥面の両翼片にそれぞれ取外し可能に固定した複数の折目を有する壁体と、前記正面の一方の翼片にヒンジ結合され複数の折目を有する主部と該主部の折目を伸ばすように重ねた偏平板を取外し可能に固定してなるドア体と、前記柱体の正面又は奥面にて対面する翼片の頂縁及び対面する壁体の頂縁にそれぞれ嵌入できる凹溝を有する梁体と、を備えたことを特徴とし、簡単に組立てることができ、組立後は高い堅牢性が得られるように構成した。
【発明の効果】
【０００６】  本発明によれば、柱体は縦長幅材を幅方向に直角に折曲げることにより強度のある角部と両翼部を備えたものとして得られ、また、両翼片を対向するように四隅に立てるだけでよい。さらに、柱体間のうち、出入口となる正面を除く左右側面及び奥面にて対向する両翼片間に折目を伸ばした状態で壁体を簡単に作れる。さらにまた、正面にて対向する両翼片間にヒンジ結合させたドア体は、折目を伸ばした主部と折目なしの偏平板を重ねて形成できるから小さくなる。したがって、組立前は小さく畳んで保管でき、しかも、小さい状態でどこにでも容易に運搬でき、また、組立後は堅牢性が高く扱い易いなど各種の優れた効果を有するものである。
【発明を実施するための最良の形態】
【０００７】  次に、本発明の実施の態様を添付図面に基づいて説明する。図１は本願ハウスを示す斜視図、図２は本願ハウスの平面断面図、図３は柱体の連結具を示す斜視図、図４は縦方向に複数の折目に沿って折畳んだ状態を示す壁体の斜視図、図５は柱体間の両翼部に折目を伸ばした状態で固定した壁体を示す一部切欠斜視図、図６は鍔付きボルトとナットを示す斜視図、図７は本願ハウスの正面図である。【０００８】
本願ハウス１は、図１の如く、四隅（図１では奥側の１つが見えていない）に立てた柱体２と、該柱体２の両翼部２ｂ、２ｂ間に、図２の如く、出入口２１となる正面を除いて左右側面２２、２２′及び奥面２３に取外し可能に固定した壁体３と、前記出入口２１となる柱体２の一方の翼部２ｂにヒンジ部材４で結合したドア体５と、前記両翼部２ｂ、２ｂの頂部間及び壁体３の頂部間を跨いで嵌合した梁体６とからなる。該梁体６は図では二等辺三角形になり、ビニルシートなどのシート部材（図示せず）で覆って画鋲やホッチキスなどで止めることにより屋根になるようにしている。
【０００９】
前記柱体２は、人の平均的な背の高さを上回る長さ（例えば１８５〜１９０ｃｍ）と、幅（２０〜３０ｃｍ位）の縦長幅材を幅方向中央から直角に２つ折りし、強度の認められる角部２ａと両翼部２ｂ、２ｂとが形成されている。該柱体２の両翼部２ｂ、２ｂには計画された位置に透孔２ｔが設けられている。前記縦長幅材は、軽量にして強度のある紙製又はプラスチック製の段ボールで形成されている。なお、紙製段ボールを使用するときは表面を防水加工し、雨や雪に濡れることがあっても強度の落ちることがないようにしておくとよい。
【００１０】
前記柱体２は、これを１／２の長さのものを用意し、両者を連結具７により長さ方向に繋ぎ式に形成してもよい。これは柱体２のコンパクト化のためである。該連結具７は、図３の如く、上下部に柱体２が嵌入できる凹溝７ａ、７ｂを有し、中間に節部７ｃを持つもので、金属製で直角形状に作成されている。前記連結具７は前記柱体２の角部２ａと両翼部２ｂ、２ｂの開きを確定する役目を果す。また、前記連結具７は、柱体の下端部に履かせる足部材７′を兼ね、下端部が地面や芝面などに安定的に立てることができるようにしている。勿論、連結具７は、これ以外に構成することも可能である。
【００１１】
前記連結具７を、図３の如く構成した場合には、中間点の内側に、三角状の平板７１を設け、該平板７１の中央部に連結具７の下端と同レベル位置まで達する凹み７２を設け、その底部に穴７３を設けている。この凹み７２及び穴７３は連結具７を柱体２の繋ぎとして利用したときは室内の棚ができ、花瓶や芳香袋などの置場などに利用することができ、足部材７′として利用したときは杭を打ち込む穴として利用できる。
【００１２】
前記壁体３は、前述の如く、四隅に立てた柱体２の左右側面２２、２２′及び奥面２３に壁面を作るもので、図４の如く、縦方向に複数個（図では４個）に折畳むための折目５１を有している。該壁体３の各折畳み面３２の横幅方向の両端部にはそれぞれ透孔３ｔを設けている。該透孔３ｔは、図５の如く、前記柱体２の両翼部２ｂ、２ｂに設けた透孔２ｔに合致する位置に計画的に設けられている。該透孔３ｔは、図６の如く、透孔２ｔに合致させた後、外側から鍔付きボルト３４を通し、内側からナット３５により取外し可能に固定されている。該鍔付きボルト３４及びナット３５は軽量化を図るため、プラスチック素材（軽量金属材料もある）を利用することがよい。また、鍔付きボルト３４、ナット３５は、互いにネジで結合しているが、押し込むだけで互いにワンタッチ結合できるものを用いることもある。
【００１３】  前記壁体３の横幅Ａは、前記柱体２の両側面２２、２２′用のものと、奥面２３用のものとにより異なる。本実施例では、左右側面では１０００ｍｍ、奥面では６００ｍｍにし、実際のトイレと同じような広さ（面積）を確保できるようにしているが、この面積には限定されない。なお、前記両側面２２、２２′用の両方又は一方の壁体３の中間部内面には長い紐３６と短い紐３６′を上端で固定して垂れ下げて設け、長い紐３６でロールペーパーの芯管を通し短い紐３６′と結ぶことによりロールペーパーを掛けられるようにするとよい。【００１４】
前記ドア体５は、図１及び図７の如く、前記柱体２の出入口２１となる正面の一方の翼部２ｂの外側にヒンジ部材４を介して結合している。該ドア体５は、縦方向に複数個に折畳むための折目５１を有する主部５２と折目なしの偏平板５３とを重ねて取外し可能に固定されている。換言すれば、主部５２を伸ばすように拡げ、その伸ばした折目５１を跨いで折目なしの偏平板５３を、図７の如く、重ね、両者の計画された個所に設けた透孔を重ねて前記鍔付きボルト３４及びナット３５により取外し可能に固定され、ドア体５としての形態が保たれている。
【００１５】  前記ドア体５のヒンジ部材４には、本実施例では紐体４１が使用されている。縫針のような器具（図示せず）を用いることもできるが、予め、紐を通す個所に小穴を設けておくこともある。勿論、ヒンジとしての機能を有する限り他の物、例えば、粘着テープなどを利用してもよい。前記ドア体５の開放側５４には把手（図示せず）を設けることもある。また、把手の操作で鍵がかかるようにすることもある。これはドア体５が風などにより開かないようにすること、及び、トイレ使用中を明確するためである。【００１６】  前記梁体６は、前記出入口２１の両脇に立っている柱体２の面対向する翼部２ｂ、２ｂの頂縁間及び面対向する壁体３、３の頂縁間を跨いでそれぞれ嵌入できる凹溝６１、６１を下縁に有している。該凹溝６１、６１を嵌入させた梁体６の両端部に予め透孔を設けて、前記柱体２の両翼部と前記鍔付きボルト３４とナット３５により取外し可能に固定するとより頑丈となる。前記梁体６は出入口２１側から見て二等辺三角形になっているとよい。すなわち、上面にビニルシートなどのシート部材（図示せず）でかぶせれば切妻形の屋根になるからである。【００１７】  次に、本願ハウス１の組立方及び作用を説明する。まず、縦長幅材を幅方向中央から直角に折曲げ、連結具７により繋いで所望の長さにした柱体２を、４個用意する。各柱体２の下端部には前記連結具７を足部材７′として履かせ、本願ハウス１を建てる場所を決めたならば、その四隅に対応する個所に、各柱体２の足部材７′を立て、その三角状の平板７１の中央部に設けた穴７２杭穴に通した杭で地面Ｇに固定する。【００１８】
次いで、前記柱体２の正面を出入口２１として残し、左右側面２２、２２′と奥面２３を囲うように壁体３を固定する。この壁体３は横幅が前記柱体２の両側面２２、２２′用のものと、奥面２３用のものと異なるので注意する。該壁体３の取付けには折目５１を伸ばして各折畳み面３２の横幅方向の両端部にある透孔３ｔを、前記柱体２の両翼部２ｂ、２ｂに設けた透孔２ｔに合致させて、鍔付きボルト３４を通し、ナット３５により固定する。
【００１９】  しかる後、縦方向に複数個に折畳むための折目５１を有する主部５２を、折目５１を伸ばすように拡げ、これに、折目なしの偏平板５３を重ね、それぞれに設けた透孔を合致させ、鍔付きボルト３４を通し、ナット３５により固定してドア体５を形成し、その一縁を紐体４１にて柱体２の翼片に結合し、前記出入口２１に設置する。【００２０】  次いで、前記出入口２１の両脇に立っている柱体２の面対向する翼部２ｂ、２ｂの頂縁間及び面対向する壁体３、３の頂縁間を跨いで梁体６の下縁に有している凹溝６１、６１を嵌入させる。この梁体６は二等辺三角形になっているから、この上面にビニルシートなどのシート部材（図示せず）で覆って画鋲やホッチキスなどで止めて屋根を作る。【００２１】  このようにして組立てた本願ハウス１は、図７の破線で示すように、ロープにて地面に固定することもある。そして、本願ハウス１内のほぼ中央部に組立式であって汚物回収のし易くなっている便器（図示せず）を設置すれば、トイレとして使用できる。本願ハウスは、組立前には小さく畳んで保管でき、小さい状態でどこにでも容易に運搬でき、しかも、簡単に組立できる上に、組立後は堅牢性が高く、しかも扱い易い。また、縦長幅材を縦方向の長さを人の背丈以上にし、横幅及び奥行を実際のトイレと同じような広さにしておくことにより窮屈感のないものが得られる。
【産業上の利用可能性】
【００２２】  本願ハウスは、地震やその他の災害などの緊急時やキャンプなどの野外活動時に簡単に組立てられるもので、利用可能性が高いものである。
【図面の簡単な説明】
【００２３】
【図１】本願ハウスを示す斜視図である。
【図２】本願ハウスの平面断面図である。
【図３】柱体の連結具を示す斜視図である。
【図４】縦方向に複数の折目に沿って折畳んだ状態を示す壁体の斜視図である。
【図５】柱体間の両翼部に折目を伸ばした状態で固定した壁体を示す一部切欠斜視図である。
【図６】鍔付きボルトとナットを示す斜視図である。
【図７】本願ハウスの正面図である。
【符号の説明】
【００２４】
１  本願ハウス
２  柱体
２ａ  角部
２ｂ  翼部
２１  出入口
２２、２２′  側面
２３  奥面
２ｔ  透孔
３  壁体
３２  折畳み面
３ｔ  透孔
３４  鍔付きボルト
３５  ナット
４  ヒンジ部材
５  ドア体
５１  折目
５２  主部
５３  偏平板
５４  開放側
５５  把手具
５６  内部具
６  梁体
６１、６１  凹溝
７  連結具
７ａ、７ｂ  凹溝
７ｃ  節部
７１  平板
７２  凹み
７３  穴
【図１】
0006715661.tif 000002
【図２】
0006715661.tif 000003
【図３】
0006715661.tif 000004
【図４】
0006715661.tif 000005
【図５】
0006715661.tif 000006
【図６】
0006715661.tif 000007
【図７】
0006715661.tif 000008